【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
インク媒体と、
任意の分散剤と、
脂肪族第四級塩、オレフェン系第四級塩、芳香族第四級塩またはそれらの混合物もしくは組合せで変性された天然由来着色剤を含む変性天然由来着色剤と、
任意の蛍光染料と、
任意の相乗剤と
を含む相変化インク組成物。
【請求項２】
前記天然由来着色剤は、テトラピロール、テトラテルペノイド、キニン、Ｏ−複素環式化合物、Ｎ−複素環式化合物、金属タンパク質、リポフスチンおよび菌類顔料からなる群の一員から誘導され、または
前記天然由来着色剤は、ベニバナ、ジャケツイバラ、アカネ、ケルメス、竜血樹、キリンケツヤシ、コチニール、ラック、ブーゲンビリア、アキノキリンソウ、チーク、マリーゴールド、モクセイソウ、サフラン、パリジャタ、インジゴ、タイセイ、サンベリー、ピヴェット、軟体類、ムラサキ、スイレン、カミメボウキ、カンナ、ユリ、イラクサ、バルサム、ダリア、ベニノキ、ブラックベリー、ハンノキ、ロフブラマラ（Ｒｏｆｂｌａｍａｌａ）、牛心梨、ハルダ、ならびにそれらの混合物および組合せからなる群の一員から誘導される請求項１に記載の相変化インク組成物。
【請求項３】
前記天然由来着色剤は、式
【化１】
2014109032.tif 000001
【化２】
2014109032.tif 000002
【化３】
2014109032.tif 000003
【化４】
2014109032.tif 000004
【化５】
2014109032.tif 000005
または
【化６】
2014109032.tif 000006
の化合物から誘導される請求項１に記載の相変化インク組成物。
【請求項４】
前記天然由来着色剤は、式
【化７】
2014109032.tif 000007
【化８】
2014109032.tif 000008
【化９】
2014109032.tif 000009
の化合物から誘導される請求項１に記載の相変化インク組成物。
【請求項５】
前記天然由来着色剤は、式
【化１０】
2014109032.tif 000010
（式中、Ｒ１、Ｒ２、Ｒ３、Ｒ４、Ｒ５、Ｒ６およびＲ８は、それぞれ独立に、水素、ＣＨ３、ＯＨおよびＣＯＯＨからなる群から選択され、Ｒ７は、水素、式
【化１１】
2014109032.tif 000011
の化合物、式
【化１２】
2014109032.tif 000012
の化合物、および式
【化１３】
2014109032.tif 000013
の化合物からなる群から選択される）のアントラキノイドから誘導される請求項１に記載の相変化インク組成物。
【請求項６】
前記天然由来着色剤は、式
【化１４】
2014109032.tif 000014
の化合物から誘導される請求項１に記載の相変化インク組成物。
【請求項７】
前記天然由来着色剤は、脂肪族第四級アンモニウム塩、芳香族第四級アンモニウム塩、またはそれらの混合物もしくは組合せで変性される請求項１に記載の相変化インク組成物。
【請求項８】
前記天然由来着色剤は、少なくとも８個の炭素原子を有するアルキル鎖を含む脂肪族第四級アンモニウム塩で変性される請求項１に記載の相変化インク組成物。
【請求項９】
前記天然由来着色剤は、テトラブチルアンモニウム、テトラオクチルアンモニウム、テトラドデシルアンモニウム、テトラオクタデシルアンモニウム、Ｎ，Ｎ−ジメチルジオクタデシルアンモニウム、Ｎ，Ｎ−ジメチルジオクチルアンモニウム、Ｎ，Ｎ−ジメチルドデシルアンモニウム、Ｎ，Ｎ，Ｎ−トリメチル−１−ドコサンアミニウム、ベヘニルトリメチルアンモニウム、Ｎ−オクタデシルトリメチルアンモニウム、およびそれらの組み合わせからなる群から選択される脂肪族第四級アンモニウム塩または芳香族第四級アンモニウムで変性されたものである請求項１に記載の相変化インク組成物。
【請求項１０】
前記天然由来着色剤は、式
【化１５】
2014109032.tif 000015
（式中、Ｒは、少なくとも８個の炭素原子を有する長鎖アルキル基であり、Ｘはハロゲンである）の化合物で変性される請求項１に記載の相変化インク組成物。
【請求項１１】
前記天然由来着色剤は、式
【化１６】
2014109032.tif 000016
（式中、Ｒ１、Ｒ２およびＲ３は、同一であっても互いに異なっていてもよく、Ｒ１、Ｒ２およびＲ３の各々は、独立に、アルキル、アルコキシ、アリールおよびアルキルアリールからなる群から選択され、Ｘはハロゲン原子である）のＮ−アルキルまたはＮ−アリール対イオンで変性されたものである請求項１に記載の相変化インク組成物。
【請求項１２】
前記天然由来着色剤は、式
【化１７】
2014109032.tif 000017
（式中、Ｒは、Ｈ、ＣＨ３、直鎖状アルキル、分枝状アルキルまたはアルコキシルであり、ｍおよびｎは、整数であり、ｍ＋ｎは２から２５である）
の化合物で変性されたものであり、
または、前記天然由来着色剤は、式
【化１８】
2014109032.tif 000018
（式中、ｎは、１から３０である）
の化合物で変性されたものである請求項１に記載の相変化インク組成物。
【請求項１３】
前記変性天然由来着色剤は、式
【化１９】
2014109032.tif 000019
の化合物である請求項１に記載の相変化インク組成物。
【請求項１４】
前記変性天然由来着色剤は、脂肪族第四級アンモニウム塩、芳香族第四級アンモニウム塩、またはそれらの混合物もしくは組合せで変性され、脂肪族第四級アンモニウム塩、芳香族第四級アンモニウム塩、またはそれらの組合せもしくは混合物はバイオベースであり、あるいは
前記変性天然由来着色剤は、脂肪族第四級アンモニウム塩、芳香族第四級アンモニウム塩、またはそれらの混合物もしくは組合せで変性され、脂肪族第四級アンモニウム塩、芳香族第四級アンモニウム塩、またはそれらの混合物もしくは組合せは、８個を超える炭素原子を含むアルキル鎖を含み、アルキル鎖はバイオベースである請求項１に記載の相変化インク組成物。
【請求項１５】
前記変性天然由来着色剤は、相変化インク媒体に自己分散されている請求項１に記載の相変化インク組成物。
【請求項１６】
前記蛍光染料は、ローダミン、フルオレセイン、クマリン、ナフタルイミド、ベンゾキサンテン、アクリジン、アゾ、ＤＦＳＢ類、ＤＦＰＤ類、ＤＦＳＢ−Ｋ類、それらの混合物および組合せの群から選択される請求項１に記載の相変化インク組成物。
【請求項１７】
前記分散剤は、前記相変化インクの色を調整するように選択される請求項１に記載の相変化インク組成物。
【請求項１８】
インク媒体と、任意の分散剤と、脂肪族第四級塩、オレフェン系第四級塩、芳香族第四級塩またはそれらの混合物もしくは組合せで変性された天然由来着色剤を含む変性天然由来着色剤と、任意の蛍光染料と、任意の相乗剤とを含む相変化インク組成物をインクジェット印刷装置に導入すること、
前記インク組成物を溶融させること、および
前記溶融したインクの液滴を画像様パターンで基板上に射出させること、
を含む方法。
【請求項１９】
インク媒体と、任意の分散剤と、脂肪族第四級塩、オレフェン系第四級塩、芳香族第四級塩またはそれらの混合物もしくは組合せで変性された天然由来着色剤を含む変性天然由来着色剤と、任意の蛍光染料と、任意の相乗剤とを含む相変化インク組成物を含有するインクジェットプリンタスティックまたはペレット。
【手続補正２】
【補正対象書類名】明細書
【補正対象項目名】発明の名称
【補正方法】変更
【補正の内容】
【発明の名称】変性天然由来着色剤を含む相変化インク、インクジェット印刷法、インクジェットプリンタスティックまたはペレット